(57)【要約】【課題】  ペットボトルになんらの悪影響を生じることなく、キャップをペットボトル外壁にごく簡単な着脱操作で安定かつ確実に係止させること。【解決手段】  ペットボトルの外壁面にそのペットボトルの蓋であるキャップを着脱可能に係止するキャップ用係止部を備えてなるペットボトルにおいて、前記キャップ用係止部は、前記外壁面から突出している環状の突起部又は２個以上の突起部からなり、前記環状の突起部の側壁で形成される円あるいは部分円の径、又は前記２個以上の突起部の側壁間の幅は、前記外壁面近傍において前記キャップの口部近傍のキャップ大径部の外径に比べて同等又は大きくなっており、また、前記外壁面から離れた部分では前記キャップ大径部の外径よりも小さくなっていることを特徴とするペットボトル。【選択図】  図１
0003115076.tif 000002
【実用新案登録請求の範囲】
【請求項１】
ペットボトルの外壁面にそのペットボトルの蓋であるキャップを着脱可能に係止するキャップ用係止部を備えてなるペットボトルにおいて、
前記キャップ用係止部は、前記外壁面から突出している環状の突起部又は２個以上の突起部からなり、
前記環状の突起部の側壁部で形成される円あるいは部分円の径、又は前記２個以上の突起部の側壁部間の幅は、前記外壁面近傍において前記キャップの口部に位置するキャップ大径部の外径に比べて同等又は大きくなっており、また、前記外壁面から離れた部分では前記キャップ大径部の外径よりも小さくなっていることを特徴とするペットボトル。
【請求項２】
ペットボトルの外壁面にそのペットボトルの蓋であるキャップを着脱可能に係止するキャップ用係止部を備えてなるペットボトルにおいて、
前記キャップ用係止部は、前記ペットボトルの容器壁の一部分が凹んで凹所を形成する側壁部と底壁部とからなり、
前記側壁部は前記凹所の狭小部を形成する突出部分を有するように湾曲しており、
前記突出部分の突端で形成される円あるいは部分円の径又は前記突出部分の突端間の間隔は、前記キャップの口部に位置するキャップ大径部の外径よりも小さくなっており、
前記突出部分における前記底壁部に近い根元部分では、前記キャップ大径部の外径に比べて同等又は大きくなっていることを特徴とするペットボトル。
【請求項３】
請求項１又は請求項２において、
前記突起部又は前記凹所の前記側壁部は、前記キャップの外周円に適応する円弧を有することを特徴とするペットボトル。
【請求項４】
請求項１ないし請求項３のいずれかにおいて、
前記突起部の高さ又は前記凹所の深さは前記キャップの高さの１／２以下であることを特徴とするペットボトル。
【考案の詳細な説明】
【技術分野】
【０００１】
本考案は、開蓋したキャップを着脱自在に取り付けることが可能なキャップ用係止部を備えるペットボトルに関する。
【背景技術】
【０００２】
ジュース、茶、スポーツドリンクあるいはミネラルウォーターなどの飲料は、ペットボトルに封入した状態で販売されているものが大多数を占めている。一般に、飲料用のペットボトルの注出口は、その注出口の外面に形成された雄ネジ部とキャップの内面に形成された雌ネジ部との螺合によって密閉されており、消費者は栓抜きなどの器具を使うことなく、キャップをペットボトルに対して螺回させることによって、容易に開蓋することができるようになっている。そして、ペットボトル内の飲料を飲み残した場合などは、再びキャップで注出口を簡単に密閉することができる。
【０００３】
このようなペットボトルの構造にあっては、開蓋したときにはキャップはペットボトルの注出口から完全に離脱するので、屋外などにおいてペットボトル内の飲料を飲んでいる間、あるいは開蓋した状態で雑談又は電話などをしている間、取り外したキャップを手に持ったり、洋服のポケットに入れるなどして一時的に保管する必要がある。このような問題点を解決するために、キャップをペットボトルに保持するためのキャップ用ホルダ、又は保持具などをペットボトルに備えることが既に幾つか提案されている（例えば、特許文献１〜５参照）。
【特許文献１】特開２０００−２３８８３１公報
【特許文献２】特開２００１−０７２１２０公報
【特許文献３】特開２００３−２３７８１８公報
【特許文献４】特開２００４−１１５１２０公報
【特許文献５】実用新案登録第３０７０１１６号公報
【考案の開示】
【考案が解決しようとする課題】
【０００４】
これらはキャップホルダの構造、形状はそれぞれ異なるが、いずれもペットボトル及びキャップそのものとは異なる保持部材を別途備えるものがほとんどである。前掲の特許文献１、２に開示されているキャップホルダ又は保持具は、キャップを開蓋したときにキャップがペットボトルから脱落しないように、予めキャップを連結部材でペットボトルに連結しておくものである。しかし、これはキャップの回転が可能なようにキャップをペットボトルに予め連結しておかなければならず、キャップを開栓したときにキャップが脱落しないという良い面もあるが、コストが高くなるという大きな欠点がある。また、通常、屋外で飲むペットボトルはキャップを多くても２〜３回開閉する程度であるにもかかわらず、このような連結部材という異物がペットボトルに付属していることは清涼飲料に求められるシンプルなペットボトルが好まれるという観点から逆に製品価値を低下させることにもなる。また、自動販売機で扱う場合にはキャップホルダがトラブルの原因になる可能性も大きい。
【０００５】
次に、前掲の特許文献３では容器取り付部とキャップ取り付部とを連結部で連結してなるキャップ用保持具をラベルでペットボトルに付属させておき、消費者が必要なときにそのペットボトルからキャップ用保持具を取り外し、その容器取り付部をペットボトルの注出口に取り付け、キャップ取り付部にキャップを保持させるものである。しかし、これもコストアップになるのは勿論であるが、キャップ用保持具をペットボトルから一旦取り外して、注出口に取り付けるという二つの作業を行わなければならず、面倒である。また、前掲の特許文献４には種々の実施例が記載されているが、前掲の特許文献１〜３と同様なものの他に、キャップホルダを熱収縮ラベルや両面テープなどを使用してペットボトルの外壁面に固定し、その上でキャップをキャップホルダに保持させるものが開示されている。この構造も、コストが大幅に高くなるだけでなく、ペットボトルにキャップホルダを一時的に取り付けておく構造などに問題があって製品化が困難なものばかりであり、また、キャップホルダをペットボトルから一旦取り外して、注出口に取り付けるという二つの作業を行わなければならないものもある。
【０００６】
前掲の特許文献５は前傾特許文献１〜４の前述のような問題点を解決しようとしているが、アイデアを示しているだけである。つまり、特許文献５ではペットボトルの薄い容器壁を加工して二つの突起部を形成し、その突起部にキャップを一時的に保持することが示されているが、具体的構造には何ら触れておらず、単にアイデアが開示されているだけである。自動販売機などが流通手段の対象となる飲料用ペットボトルでは突起部の高さは、キャップの高さの１／２〜１／３以下にしなければ、ペットボトルの流通過程でペットボトル容器が破損する可能性があるだけでなく、見栄えの問題があって商品価値が低下してしまうなどの問題がある。一方、単なる突起部でキャップを保持する場合には、突起部の高さをキャップの高さ程度にすると共に、突起部の構造を工夫しないと、一時的ではあるにせよキャップを突起部で安定に保持し難いなどの種々の問題がある。
【０００７】
したがって、本考案ではこれら問題点を解決し、ペットボトルの容器壁などを利用して、そのペットボトルの蓋であるキャップを着脱可能に係止するキャップ用係止部を備えたペットボトルにおいて、ペットボトルになんらの悪影響を生じることなく、キャップの口部などの外径を利用して、低い突起部又は浅い凹所によって開蓋したキャップをペットボトル外壁に簡単な着脱操作で確実に係止させ、しかもその係止状態を安定に保持し得るものである。ここで、キャップをペットボトル外壁に安定に係止させることができるという意味は、キャップをペットボトル外壁に確実に係止できるだけでなく、キャップの係止が必要とされるときはほとんどがペットボトルを手で握っている場合であり、その場合にはペットボトルに力が加わってペットボトルが幾分変形することが往々にしてあるが、このような場合にもキャップがペットボトル外壁から外れ難く保持できることを言う。
【課題を解決するための手段】
【０００８】
前述のような問題を解決するため、第１の考案は、ペットボトルの外壁面にそのペットボトルの蓋であるキャップを着脱可能に係止するキャップ用係止部を備えてなるペットボトルにおいて、前記キャップ用係止部は、前記外壁面から突出している環状の突起部又は２個以上の突起部からなり、前記環状の突起部の側壁部で形成される円あるいは部分円の径、又は前記２個以上の突起部の側壁部間の幅は、前記外壁面近傍において前記キャップの口部に位置するキャップ大径部の外径に比べて同等又は大きくなっており、また、前記外壁面から離れた部分では前記キャップ大径部の外径よりも小さくなっていることを特徴とするペットを提供する。
【０００９】
前述のような問題を解決するため、第２の考案は、ペットボトルの外壁面にそのペットボトルの蓋であるキャップを着脱可能に係止するキャップ用係止部を備えてなるペットボトルにおいて、前記キャップ用係止部は、前記ペットボトルの容器壁の一部分が凹んで凹所を形成する側壁部と底壁部とからなり、前記側壁部は前記凹所の狭小部を形成する突出部分を有するように湾曲しており、前記突出部分の突端で形成される円あるいは部分円の径又は前記突出部分の突端間の間隔は、前記キャップの口部に位置するキャップ大径部の外径よりも小さくなっており、前記突出部分における前記底壁部に近い根元部分では、前記キャップ大径部の外径に比べて同等又は大きくなっていることを特徴とするペットボトルを提供する。
【００１０】
第３の考案は、前記第１の考案又は前記第２の考案において、前記突起部又は前記凹所の前記側壁部は、前記キャップの外周円に適応する円弧を有することを特徴とするペットボトルを提供する。
【００１１】
第４の考案は、前記第１の考案ないし前記第３の考案いずれかにおいて、前記突起部の高さ又は前記凹所の深さは前記キャップの高さの１／２以下であることを特徴とするペットボトルを提供する。
【考案の効果】
【００１２】
前記第１の考案及び前記第２の考案によれば、ペットボトルになんらの悪影響を及ぼすことなく、キャップの口部などの外径を利用して、開蓋したキャップをペットボトル外壁に簡単な着脱操作で確実に係止させることができるばかりでなく、その係止状態を安定に保持することができる。
【００１３】
前記第３の考案によれば、前記第１の考案及び前記第２の考案で得られる効果の他に、２箇所でキャップを係止した場合にも、確実かつ安定に係止させることができるという効果も奏する。
【００１４】
前記第４の考案によれば、キャップ用係止部を構成する突起部の高さ、凹所の深さが高々１０〜１５ミリメートル程度のキャップの半分以下であるので、ペットボトルが流通過程などで損傷する危険性が増えることはなく、また自動販売機でトラブルの原因になる可能性も極めて低い。
【考案を実施するための最良の形態】
【００１５】
[実施形態１]
図１及び図２によって、本考案の実施形態１に係るキャップ用係止部を有するペットボトルについて説明する。図１（Ａ）はペットボトルのキャップ用係止部を上方から見た拡大図、図１（Ｂ）は正面から見た図、図１（Ｃ）は側面から見た図である。図２はペットボトルに形成した実施形態１のキャップ用係止部とキャップとの関係を説明するための図である。通常、ペットボトル１は合成樹脂製のキャップ２によって、その口部が開閉される。本考案のペットボトルの構造を説明する前にキャップ２について説明する。ペットボトル１の合成樹脂製のキャップ２は機械的な強度の確保や安全性などのために、１ミリメートル未満であるものの、口部の肉厚が他の部分に比べて厚くなっているものが多い。その厚くなった分、口部の外径が他部分よりも大きくなっている。
【００１６】
ここでは、キャップ２の口部の肉厚が厚くなって外径が他部分の径よりも大きくなっている部分をキャップ大径部２Ａと言い、キャップ大径部２Ａよりも外径の小さな部分をキャップ外径部２Ｂという。キャップ大径部２Ａは口部先端に向かって厚くなるもの、一定の幅でほぼ同じ厚みの帯状に形成されているものなど種々であるが、いずれも本考案にとって有効である。本考案は、ペットボトルのこのようなキャップ独特の構造を利用し、その構造に適した構造のキャップ用係止部３をペットボトルに備えることを特徴としている。なお、キャップ外径部２Ｂがキャップの大部分を占めており、キャップ外径部２Ｂの外面にはキャップ２を回し易いように多数の縦溝が形成されている場合が多い。
【００１７】
ペットボトル１は、良く知られているように、比較的肉厚の薄い容器壁からなって、弾力性に優れている。本考案では、ペットボトル１の容器壁の弾力性を利用して開蓋したキャップ２をペットボトル１の外壁面に係止させて一時的に安定に保持するキャップ用係止部３を備える。この実施形態１では、キャップ用係止部３はペットボトル１の製造時に一体成型で作られる二つの突起部４、５からなり、ペットボトル１の外壁面１Ａの一部分に形成され、容器壁の一部分となる。突起部４と５とはキャップ６の外形に適応する側壁部を有する。突起部４と５は、図１（Ｂ）に示すように、キャップ２のキャップ外径部２Ｂの円周の一部分に適応する円弧状の側壁面４Ａ、５Ａを有する。側壁面４Ａ、５Ａはキャップを確実に保持し得るとういう観点からは円弧状であることが好ましいが、必ずしも円弧状でなくてもよく、直線状でもよい。
【００１８】
キャップ用係止部３の突起部４と５とは、図２に示すように、ペットボトル１の外壁面１Ａの一部分を担うが、突起部４、５が立ち上がる外壁面、つまり、突起部４と５との間に位置する外壁面１Ａ’近傍では、キャップ大径部２Ａの直径Ｗ１とほぼ同程度又はそれよりも幾分大きな径Ｄの仮想円を画成するようになっている。ここではその仮想円上の一部分の円弧を部分円という。また、外壁面１Ａ’から離れた側壁面４Ａと５Ａの途中部分、つまり、突起部４と５の頂部に至る途中部分の突端では側壁面４Ａと５Ａとの間隔が最も狭い狭小部を形成する円弧状になっており、その狭小部は径Ｄよりも小さな径ｄの部分円を描くように形成されている。径ｄはキャップ大径部２Ａの直径Ｗ１よりも幾分小さく、かつキャップ外径部２Ｂの直径Ｗ２と同程度又は幾分大きい（Ｗ２≦ｄ＜Ｗ１）。つまり、この実施形態１で大切なのは、突起部４、５における円弧状の側壁面４Ａと５Ａにおける狭小部は径Ｄよりも小さな径ｄの部分円を描くように形成され、かつ、外壁面１Ａ’近傍の根元部分では側壁面４Ａと５Ａはキャップ大径部２Ａの直径Ｗ１とほぼ同程度、又はそれよりも幾分大きな径Ｄの部分円を形成するようになっている点である。
【００１９】
そして、ペットボトル１の容器壁は弾力性に富んでいるので側壁面４Ａと５Ａにおける間隔が最も狭い前記狭小部も弾力性に優れており、突起部４、５がこのような構造になっていることによって、キャップ２を図１に示すように、僅かな力で容易に突起部４、５間に押し込むことができる。突起部４、５間に押し込まれたキャップ２は、そのキャップ大径部２Ａが突起部４、５における大きな径Ｄの部分に納まり、突起部４、５における部分円が小径となる側壁面４Ａと５Ａの前記狭小部によって係止されるので、キャップ２が確実かつ安定に突起部４、５に保持される。突起部４、５をこのような構造にすることによって、突起部４、５の高さｈを５ミリメートル程度以下にすることができる。一般に、キャップ２の高さは１０〜１５ミリメートル程度であるので、キャップ２の高さＨに対して１／２〜１／３以下にすることができる。突起部４、５の高さｈがこの程度であれば、一般的なペットボトルの形状、その凹凸の大きさから見て、ペットボトルの容器壁のどこにキャップ用係止部３を設けても、流通過程で損傷を受けることはなく、また自動販売機などでトラブルの原因になることもない。そして、このような係止構造になっているので、キャップ２が突起部４、５に係止されている状態で、ペットボトル１に力が加わってペットボトル１が少々変形してもキャップ２が突起部４、５から外れることは無く、安定に係止状態を保持できる。
【００２０】
[実施形態２]
図３ないし図５によって、本考案の実施形態２に係るキャップ用係止部を有するペットボトルについて説明する。図３（Ａ）はペットボトル１のキャップ用係止部３にキャップ２が係止された状態を示す図、図３（Ｂ）はキャップ２が係止されたペットボトルの側面を示す図である。図４はペットボトルに形成した実施形態２のキャップ用係止部３とキャップ２との関係を説明するための図である。図５はキャップ用係止部３の表面からみたキャップ用係止部の形状を示す図である。図３〜図５において、図１及び図２で用いた記号と同一の記号は同じ名称の部材を示すものとする。
【００２１】
この実施形態２におけるキャップ用係止部３は、ペットボトル１の外壁面１Ａに対して窪むように形成された凹所１０からなる。凹所１０はペットボトル１を製造するときに同時に成型加工によって形成される。ペットボトル１の口部を開蓋することにより外されたキャップ２はキャップ用係止部３である凹所１０に押し込まれる。凹所１０は種々の形状が考えられるが、代表的なものとして、図５（Ａ）に示すような円形状のもの、あるいは図５（Ｂ）に示すような４角形状のものが考えられる。凹所１０はペットボトル１の容器壁を利用して形成され、ここでは便宜上、凹所１０の底部となる容器壁を底壁部１１と言い、凹所１０の側壁となる容器壁を側壁部１２と言う。したがって、側壁部１２はペットボトルの外壁面１Ａからペットボトル内側方向に延び、ほぼ平坦な底壁部１１と一体的に繋がっている。
【００２２】
キャップ用係止部３が図５（Ａ）に示すような円形状であるとき、図４（Ａ）に示すように側壁部１２は、底壁部１１近傍、つまり根元部分ではキャップ２のキャップ大径部２Ａの直径Ｗ１とほぼ同程度又はそれよりも幾分大きな径Ｄの円を形成するように湾曲している。また、ペットボトル１の外壁面１Ａから底壁部１１に至る途中の側壁部１２には狭小部を呈する突出部分が形成され、その突出部分の突端１２’は径Ｄよりも小さな径ｄの円を描く。実施形態１と同様に、径ｄはキャップ大径部２Ａの直径Ｗ１よりも幾分小さく、かつキャップ外径部２Ｂの直径Ｗ２と同程度又は幾分大きい（Ｗ２≦ｄ＜Ｗ１）。つまり、ペットボトル１の外壁面１Ａから底壁部１１まで至る側壁部１２の突出部分の突端１２’は、キャップ大径部２Ａの直径Ｗ１よりも小さな径ｄの円又は部分円を描くように形成され、かつ、側壁部１２の根元部分ではキャップ大径部２Ａの直径Ｗ１とほぼ同程度又はそれよりも幾分大きな径Ｄの円又は部分円を画成するようになっている。
【００２３】
したがって、この実施形態２においても、ペットボトル１の容器壁の弾力性を利用して、キャップ２の口部を僅かな力で容易に凹所１０に押し込むことができ、凹所１０に押し込まれたキャップ２はそのキャップ大径部２Ａが凹所１０における大きな径Ｄの根元部分に納まり、直径の小さな側壁部１２の突出部分によって係止されるので、キャップ２が確実かつ安定に突凹所１０に保持される。凹所１０を形成するペットボトル１の容器壁をこのような構造にすることによって、凹所１０の深さｙを５ミリメートル程度以下にすることができる。この程度の凹凸であれば、一般的なペットボトルの形状、その凹凸の大きさから見て、ペットボトルの容器壁のどこに凹所１０を設けても、流通過程で損傷を受けることがなく、自動販売機などでトラブルの原因になることがない。そして、このような係止構造になっているので、キャップ２を容易かつ確実に凹所１０に係止できるのは勿論のこと、キャップ２が凹所１０に係止されている状態で、ペットボトル１に力が加わってペットボトル１が多少変形してもキャップ２が凹所１０から外れることは無い。
【００２４】
凹所１０が図５（Ｂ）に示すような４角形状の場合には、図５（Ｂ）に示すように４角形状の側壁部１２の４辺をそれぞれ辺１２Ａ、１２Ｂ、１２Ｃ、１２Ｄであるとすると、辺１２Ａと辺１２Ｃとの間隔、つまり辺１２Ａと辺１２Ｃとの前述のような突出部分の突端間の間隔、及び辺１２Ｂと辺１２Ｄとの間隔、つまり辺１２Ｂと辺１２Ｄとの前述のような突出部分の突端間の間隔が、図２、図４に示すようなキャップ２のキャップ大径部２Ａの直径Ｗ１よりも幾分小さく、かつキャップ外径部２Ｂの直径Ｗ２と同程度又は幾分大きくなるように設定されている。この場合にも、凹所１０の底面を形成する底壁部１１近傍、つまり根元部分では、辺１２Ａ、１２Ｂ、１２Ｃ、１２Ｄの側壁部は図４（Ａ）、（Ｃ）に示すように、キャップ２のキャップ大径部２Ａの直径Ｗ１と同程度又は大きい間隔を呈するように湾曲していて、キャップ大径部２Ａを受け入れるようになっている。この場合には、主として辺１２Ａ、１２Ｂ、１２Ｃ、１２Ｄの側壁部におけるそれぞれの中央部がキャップ２の脱落を防止する。またこの場合において、少なくとも凹所１０における底壁部１１がほぼ平坦であれば、辺１２Ａと辺１２Ｃの側壁部、及び辺１２Ｂと辺１２Ｄの側壁部のいずれかが形成されているだけでもよい。また、それら辺の側壁部は円弧状になっていればさらによい。なお、凹所１０が角形の場合には、４角形に限られることはなく、３角形又は５角形などの多角形であってもよい。凹所１０が角形の場合にも、凹所１０が円形状場合と同様な効果が得られる。
【００２５】
[実施形態３]
図６によって本考案の実施形態３について説明する。図６はキャップとキャップ用係止部の部分拡大図であり、図１〜図５で示した記号と同じ記号はそれら図面の部材と同じ名称の部材を示すものとする。前にも触れたが、ペットボトル１のキャップ２の口部におけるキャップ大径部２Ａは、図６に示すように一定幅をもった帯状のものもある。この場合には、キャップ用係止部３を前述の突起部で形成しようが、前述の凹所で形成しようが、図６に示すように、キャップ用係止部３の側壁面１３は底壁面１４に至る途中で突出している突出部分によって狭小部が形成され、底壁面１４の近傍、つまり根元部分においてキャップ大径部２Ａを受け入れるだけの高さをもつように広がっていることが必要である。通常、ペットボトル１のキャップ２のキャップ大径部２Ａの幅は１ミリメートルないしは１ミリメートル強程度であるので、キャップ用係止部３の側壁面１３の内壁面は底壁面１４の近傍で前述と同様な径を有し、その径をもつ内壁面が１ミリメートル強程度の高さを有すれば、キャップ大径部２Ａを受け入れて、確実かつ安定にキャップ２をキャップ用係止部３に保持することが可能である。
【００２６】
[実施形態４]
図７によって本考案の実施形態１の変形である実施形態４について説明する。図７（Ａ）はペットボトルに形成した実施形態４のキャップ用係止部とキャップとの関係を説明するための図である。図１〜図６で示した記号と同じ記号はそれら図面の部材と同じ名称の部材を示すものとする。この実施形態４が実施形態１と異なる点は、キャップ用係止部３を形成する突起部４、５がペットボトル１の容器壁の内壁面の一部分を形成しておらず、容器壁の外壁面１Ａに一体的に付属している点である。突起部４、５はペットボトル１の製造時に同時に成型によって、一体的にペットボトル１の容器壁の外壁面１Ａに形成されるのがよい。キャップ２のキャップ大径部２Ａの径、キャップ外径部２Ｂの径に対する突起部４、５の形状、それぞれの部位の間隔又は突起部４、５双方の円弧状の内壁面で画成される円の径Ｄ、ｄなどの寸法の関係は実施形態１と同じであるので、説明を省略する。なお、実施形態４だけでなく実施形態１においても、キャップ用係止部３は２個の突起部、又は円形状、多角形状のものに限ることはなく、ほぼ等間隔で形成された３個以上の突起部からなってもよい。この場合には、３個以上の突起部における内壁面のそれぞれの部分で画成される部分円がキャップ２のキャップ大径部２Ａの径、キャップ外径部２Ｂの径に適応する径を有すればよい。
【図面の簡単な説明】
【００２７】
【図１】本考案に係る実施形態１のキャップ用係止部を有するペットボトルを示す図である。
【図２】本考案に係る実施形態１のペットボトルを説明するための図である。
【図３】本考案に係る実施形態２のキャップ用係止部を有するペットボトルを示す図である。
【図４】本考案に係る実施形態２のペットボトルを説明するための図である。
【図５】キャップ用係止部の形状を説明するための図である。
【図６】本考案に係る実施形態３のペットボトルのキャップ用係止部を説明するための図である。
【図７】本考案に係る実施形態４のペットボトルを説明するための図である。
【符号の説明】
【００２８】
１・・・ペットボトル
１Ａ・・・ペットボトルの外壁面
１Ａ’・・・外壁面１Ａにおける突起部４と５との間に位置する外壁面１Ａ’
２・・・キャップ
２Ａ・・・キャップ大径部
２Ｂ・・・キャップ外径部
３・・・キャップ用係止部
４、５・・・突起部
４Ａ、５Ａ・・・突起部４、５の側壁面
１０・・・キャップ用係止部３を形成する凹所
１１・・・凹所１０の底壁部
１２・・・凹所１０の側壁部
１２’・・・凹所１０の側壁部における突出部分の突端
１３・・・キャップ用係止部３の側壁面
１４・・・キャップ用係止部３の底壁面
【図１】
0003115076.tif 000003
【図２】
0003115076.tif 000004
【図３】
0003115076.tif 000005
【図４】
0003115076.tif 000006
【図５】
0003115076.tif 000007
【図６】
0003115076.tif 000008
【図７】
0003115076.tif 000009